(57)【要約】【課題】レンズアレイが形成する結像のコントラストを向上させる。【解決手段】複数のレンズ素子が光軸に対して略直交する方向に延在する列を形成するように配列されたレンズ集合部材と、前記光軸が通過する複数の絞りが前記光軸に対して略直交する方向に延在するように配列された遮光部材とを有するレンズアレイにおいて、前記レンズ素子の配列方向に平行する方向の前記レンズ素子の半径をＲＬＹ、前記レンズ素子の配列方向に直交する方向の前記レンズ素子の半径をＲＬＸ、前記レンズ素子の配列方向に平行する方向の前記絞りの開口半径をＲＡＹ、前記レンズ素子の配列方向に直交する方向の前記絞りの開口半径をＲＡＸとしたとき、前記ＲＡＹ／ＲＬＹの値が、前記ＲＡＸ／ＲＬＸの値より小さくなるように前記レンズ集合部材および前記遮光部材を形成した。【選択図】        図１
2010181686.tif 000002
【特許請求の範囲】
【請求項１】
複数のレンズ素子が光軸に対して略直交する方向に延在する列を形成するように配列されたレンズ集合部材と、前記光軸が通過する複数の絞りが前記光軸に対して略直交する方向に延在するように配列された遮光部材とを有するレンズアレイにおいて、
前記レンズ素子の配列方向に平行する方向の前記レンズ素子の半径をＲＬＹ、前記レンズ素子の配列方向に直交する方向の前記レンズ素子の半径をＲＬＸ、前記レンズ素子の配列方向に平行する方向の前記絞りの開口半径をＲＡＹ、前記レンズ素子の配列方向に直交する方向の前記絞りの開口半径をＲＡＸとしたとき、
前記ＲＡＹ／ＲＬＹの値が、前記ＲＡＸ／ＲＬＸの値より小さくなるように前記レンズ集合部材および前記遮光部材を形成したことを特徴とするレンズアレイ。
【請求項２】
請求項１のレンズアレイにおいて、
前記ＲＡＹ／ＲＬＹの値が、０．７５以下になるように前記レンズ集合部材および前記遮光部材を形成したことを特徴とするレンズアレイ。
【請求項３】
請求項１または請求項２のレンズアレイを用いたＬＥＤヘッド。
【請求項４】
請求項１または請求項２のレンズアレイを用いた露光装置。
【請求項５】
請求項１または請求項２のレンズアレイを用いた画像形成装置。
【請求項６】
請求項１または請求項２のレンズアレイを用いた読取装置。
【発明の詳細な説明】
【技術分野】
【０００１】
本発明は、レンズアレイ、ＬＥＤヘッド、露光装置、画像形成装置および読取装置に関する。
【背景技術】
【０００２】
従来のレンズアレイは、複数のＬＥＤ（発光ダイオード）を直線状に配列したＬＥＤヘッドを用いた電子写真方式の画像形成装置や複数の受光素子を直線状に配列した受光部に読取り原稿の像を結像させるスキャナやファクシミリ等の読取装置に物体の正立等倍像をライン状に形成することができる光学系として用いられている。
このレンズアレイは、物体の正立等倍像を形成するように複数のレンズからなるレンズ群を構成し、このレンズ群を略直線状に配列して物体の正立等倍像をライン状に形成する光学系として構成することができ、この複数のレンズをプラスチック射出成型で一体に形成することにより部品点数を少なく構成するようにしているものがある（例えば、特許文献１参照）。
【先行技術文献】
【特許文献】
【０００３】
【特許文献１】特開２００８−８７１８５号公報（段落「００３３」〜段落「００４１」、図１）
【発明の概要】
【発明が解決しようとする課題】
【０００４】
しかしながら、上述した従来の技術においては、略直線状に配列された一のレンズから漏れた光線が他のレンズに入射すると物体の結像とは別の像、いわゆるゴーストと呼ばれる像として結像面へ集光される場合がある。この場合、露光装置の結像のコントラストが低下し、画像形成装置の画像が劣化し、また読取装置で取得される画像データが原稿の通りにならないという問題がある。
【０００５】
本発明は、このような問題を解決することを課題とし、レンズアレイが形成する結像のコントラストを向上させることを目的とする。
【課題を解決するための手段】
【０００６】
そのため、本発明は、複数のレンズ素子が光軸に対して略直交する方向に延在する列を形成するように配列されたレンズ集合部材と、前記光軸が通過する複数の絞りが前記光軸に対して略直交する方向に延在するように配列された遮光部材とを有するレンズアレイにおいて、前記レンズ素子の配列方向に平行する方向の前記レンズ素子の半径をＲＬＹ、前記レンズ素子の配列方向に直交する方向の前記レンズ素子の半径をＲＬＸ、前記レンズ素子の配列方向に平行する方向の前記絞りの開口半径をＲＡＹ、前記レンズ素子の配列方向に直交する方向の前記絞りの開口半径をＲＡＸとしたとき、前記ＲＡＹ／ＲＬＹの値が、前記ＲＡＸ／ＲＬＸの値より小さくなるように前記レンズ集合部材および前記遮光部材を形成したことを特徴とする。
【発明の効果】
【０００７】
このようにした本発明は、レンズアレイが形成する結像のコントラストを向上させることができるという効果が得られる。
【図面の簡単な説明】
【０００８】
【図１】第１の実施例における遮光部材の平面図
【図２】第１の実施例におけるプリンタの構成を示す概略図
【図３】第１の実施例におけるＬＥＤヘッドの概略側面図
【図４】第１の実施例におけるＬＥＤヘッドの概略断面図
【図５】第１の実施例におけるレンズアレイの分解斜視図
【図６】第１の実施例におけるレンズアレイのＡＡ断面図
【図７】第１の実施例におけるレンズ板の平面図
【図８】第１の実施例におけるレンズアレイの動作を示す説明図
【図９】第１の実施例におけるＲＡＹ／ＲＬＹの値とドット像およびゴーストの明るさを表す照度の関係を示すグラフ
【図１０】第１の実施例におけるＲＡＹ／ＲＬＹの値とＭＴＦの関係を示すグラフ
【図１１】第１の実施例におけるＬＥＤヘッドの概略図
【図１２】第１の実施例におけるレンズアレイのＤＤ断面図
【図１３】第１の実施例におけるレンズアレイのＥＥ断面図
【図１４】第１の実施例におけるレンズアレイのレンズ板の平面図
【図１５】第１の実施例における画像形成装置の画像評価の説明図
【図１６】第１の実施例における照度測定器の説明図
【図１７】第２の実施例における読取装置の構成を示す概略図
【図１８】第２の実施例における読取装置の読取ヘッドの構成を示す概略図
【図１９】第２の実施例における読取装置の読取ヘッドの動作を示す概略図
【発明を実施するための形態】
【０００９】
以下、図面を参照して本発明によるレンズアレイ、ＬＥＤヘッド、露光装置、画像形成装置および読取装置の実施例を説明する。
【実施例１】
【００１０】
本実施例の画像形成装置としてのプリンタを図２の第１の実施例におけるプリンタの構成を示す概略図に基づいて説明する。
図２において、プリンタ１００は、色材としての顔料を含む樹脂からなるトナーにより、画像データをもとに印字媒体上に画像を形成する。
プリンタ１００には、印字媒体としての用紙１０１を貯留する給紙カセット６０が装着され、用紙１０１を給紙カセット６０から取り出す給紙ローラ６１を備え、用紙１０１を給紙して搬送する搬送ローラ６２、６３が配置される。
【００１１】
本発明におけるプリンタ１００は、カラー電子写真方式であり、プリンタ１００内には画像形成部としてイエロー、マゼンダ、シアン、ブラックの各色の画像を形成する静電潜像担持体としての感光体ドラム４１、その感光体ドラム４１に形成された静電潜像をトナーにより現像し、トナー像を形成する現像器５、その現像器５にトナーを供給するトナーカートリッジ５１が用紙１０１の搬送路に沿って並べて配置されている。
【００１２】
また、感光体ドラム４１の表面に電荷を供給して帯電させる帯電ローラ４２、光学ヘッドとしてのＬＥＤヘッド３が、感光体ドラム４１の表面に対向するように配置され、ＬＥＤヘッド３は帯電ローラ４２で帯電された感光体ドラム４１の表面に画像データをもとに選択的に光を照射して静電画像を形成する。
さらに、感光体ドラム４１上に形成され、トナーにより静電潜像を可視化した像であるトナー像を用紙１０１上に転写する転写ローラ８０が、転写部で用紙１０１を搬送する転写ベルト８１を挟むように感光体ドラム４１に対向して配置され、また用紙１０１が転写部を通過した後の感光体ドラム４１の表面に残留したトナーを除去するクリーニングブレード４３が感光体ドラム４１の表面に接触して配置されている。
【００１３】
転写部の下流には用紙１０１上に形成されたトナー像を熱および圧力で定着させる定着器９が配置され、その定着器９を通過した用紙１０１を搬送する搬送ローラ６４、その搬送ローラ６４により搬送され、画像が形成された用紙１０１を貯留する排出部７へ排出する排出ローラ６５が配置される。
また、帯電ローラ４２および転写ローラ８０には図示しない電源により所定の電圧が印加される。そして、転写ベルト８１、感光体ドラム４１および各ローラはそれぞれ図示しないモータと図示しない駆動を伝達するギアにより回転駆動される。さらに、現像器５、ＬＥＤヘッド３、定着器９、および図示しない各モータには、それぞれ電源および制御装置が接続されている。
【００１４】
プリンタ１００は、外部装置から印刷データを受信する外部インターフェースを有し、その外部インターフェースで受信した印刷データをもとに印字媒体上に画像を形成する。
このように構成されたプリンタ１００は、制御プログラムをメモリ等の記憶部に記憶し、その制御プログラムに基づいて全体を制御する制御手段および演算手段としての制御部を備えている。
【００１５】
次に、露光装置としてのＬＥＤヘッド３の構成を図３の第１の実施例におけるＬＥＤヘッドの概略側面図に基づいて説明する。
ＬＥＤヘッド３には、レンズアレイ１が配置され、そのレンズアレイ１はホルダ３４によりＬＥＤヘッド３に固定されている。また、発光部としての複数のＬＥＤ素子３０は配線基板３３上に略直線に配置されている。
【００１６】
レンズアレイ１は、長尺であり、略直線に配置されたＬＥＤ素子３０と平行に配置され、またレンズアレイ１と静電潜像が形成される感光体ドラム４１とは平行に配置される。さらに、レンズアレイ１のマイクロレンズの光軸は図における上下方向になるように配置される。
図４は、第１の実施例におけるＬＥＤヘッドの概略断面図であり、図３におけるＢＢ断面図である。
【００１７】
図４において、レンズアレイ１のマイクロレンズ１２の光軸は図における上下方向となるように配置され、またＬＥＤ素子３０およびドライバＩＣ３１は配線基板３３上に配置されている。ＬＥＤ素子３０とドライバＩＣ３１はワイヤ３２により結線され、発光部としてのＬＥＤ素子３０はドライバＩＣ３１により制御されて発光する。また、ＬＥＤ素子３０は１列の直線に配列され、間隔ＰＤｍｍ（ミリメートル）で配置されている。
【００１８】
このレンズアレイ１により、感光体ドラム４１にＬＥＤ素子３０の像が結像し、感光体ドラム４１の回転に合わせてＬＥＤ素子３０を発光させることにより感光体ドラム４１上に静電潜像が形成される。
本実施例においては、ＬＥＤヘッド３は６００ｄｐｉ（ｄｏｔｓ  ｐｅｒ  ｉｎｃｈ）の解像度であり、ＬＥＤ素子３０が１インチ当たり（１インチは約２５．４ｍｍ）６００個配置されている。すなわち、ＬＥＤ素子３０が間隔ＰＤを０．０４２３ｍｍとして配列されている。
【００１９】
次に、レンズアレイ１の構成を図５の第１の実施例におけるレンズアレイの分解斜視図に基づいて説明する。
図５において、レンズアレイ１は、レンズ素子の集合体としてのレンズ板１１と遮光部材１３とからなる。
そのレンズ板１１には複数のレンズ素子としてのマイクロレンズ１２が平行する２列の略直線に交互に配置され、また２枚のレンズ板１１が対向して配置されている。２枚のレンズ板１１の各々のマイクロレンズ１２の配列間隔は同一であり、２枚のレンズ板１１の各々のマイクロレンズ１２の光軸が一致するように配置されている。すなわち、レンズアレイ１は、光軸が一致するように配置された２枚のマイクロレンズ１２からなるレンズ群を光軸に対して略直交する方向に２列に配置した構成となっている。なお、レンズ板１１は、発光部の光線を透過する素材により形成されている。
【００２０】
遮光部材１３には、絞りとしての開口部１３ａがレンズ板１１のマイクロレンズ１２の配置に対応するように貫通孔として形成されている。その開口部１３ａの配列間隔はレンズ板１１のマイクロレンズ１２の配列と同じであり、マイクロレンズ１２の光軸と開口部１３ａの位置が一致するように配置されている。また、開口部１３ａは、その光軸に対して略直交する方向に配列されている。
【００２１】
図６は第１の実施例におけるレンズアレイの断面図であり、マイクロレンズ１２の配列方向と直交する平面による断面図である。
図６において、レンズアレイ１は、２枚のレンズ板１１のマイクロレンズ１２の光軸ＡＸ１が一致し、さらに遮光部材１３の開口部１３ａの位置が光軸ＡＸ１に一致している。
図７は、第１の実施例におけるレンズ板の平面図である。
【００２２】
図７において、レンズ板１１には、複数のマイクロレンズ１２が平行する２列の略直線に交互に配置され、同一直線上に配置された複数のマイクロレンズ１２で平行する第１のレンズ列１４ａおよび第２のレンズ列１４ｂ、すなわちマイクロレンズ１２の配列方向と直交する方向に所定の間隔を保持して第１のレンズ列１４ａおよび第２のレンズ列１４ｂを形成している。第１のレンズ列１４ａおよび第２のレンズ列１４ｂの各列で並ぶそれぞれのマイクロレンズ１２の間隔はＰＹ、第１のレンズ列１４ａと第２のレンズ列１４ｂとの間隔はＰＸである。
【００２３】
第１のレンズ列１４ａ、第２のレンズ列１４ｂ、および図示しない複数のＬＥＤ素子３０が配置された直線は互いに平行であり、また第１のレンズ列１４ａおよび第２のレンズ列１４ｂと図示しない複数のＬＥＤ素子３０が配置された直線との距離は等しくなるように構成されている。
図７において、互いに隣接している、第１のレンズ列１４ａ内のマイクロレンズ１２と、第２のレンズ列１４ｂ内のマイクロレンズ１２との間隔はＰＮである。マイクロレンズ１２は、互いに隣接している、第１のレンズ列１４ａ内のマイクロレンズ１２と、第２のレンズ列１４ｂ内のマイクロレンズ１２とがオーバーラップするように配置されている。
【００２４】
オーバーラップしているマイクロレンズ１２の境界は、図７に示すようにレンズ板１１の上面から見て、略直線に形成されている。
それぞれのマイクロレンズ１２の配列方向の半径ＲＬＹは、光軸からマイクロレンズ配列方向のマイクロレンズ外周までの距離であり、またマイクロレンズ１２の配列方向と直交する方向の半径ＲＬＸは、光軸からレンズ板１１外側方向のマイクロレンズ外周までの距離である。
【００２５】
なお、レンズ板１１は、ＬＥＤ素子３０の光線を透過する素材により形成されている。
本実施例では、レンズ板１１はシクロオレフィン系樹脂である光学樹脂（日本ゼオン社製、商品名；ＺＥＯＮＥＸ（ゼオネックス）（登録商標）Ｅ４８Ｒ）を使用し、射出成型により複数のマイクロレンズ１２を一体に成型した。
マイクロレンズ１２の各曲面は数式１で表される回転対称高次非球面で構成することにより、高い解像度を得ることができる。関数Ｚ（ｒ）は、マイクロレンズ１２の光軸に平行な方向を軸とし、半径方向の座標をｒとした回転座標系を示し、マイクロレンズ１２の各曲面の頂点を原点とし、レンズアレイ１の物体面から結像面へ向かう方向を正の数で表す。このとき、Ｃは曲率半径、Ａは非球面係数４次の係数、Ｂは非球面係数６次の係数を示す。
【００２６】
【数１】
2010181686.tif 000003
図１は、第１の実施例における遮光部材の平面図である。
図１（ａ）において、遮光部材１３は、間隔ＰＹで開口部１３ａが形成され、その開口部１３ａの配列方向と直交する方向に間隔ＰＸで２列に配列されている。この配列間隔はマイクロレンズ１２の光軸の間隔に一致する。
【００２７】
また、開口部１３ａは、隣接するマイクロレンズ１２に対応してその中心間を距離ＰＮとして形成され、さらにマイクロレンズ１２の配列方向と直交する方向に間隔ＴＢが保持されるように形成されている。
なお、遮光部材１３は、ＬＥＤ素子３０の光線を遮光する素材により形成されている。
図１（ｂ）は、第１の実施例における遮光部材の開口部の平面図である。
【００２８】
図１（ｂ）において、開口部１３ａは半径ＲＡＸの円、その半径ＲＡＸの円の中心から（間隔ＰＸ―間隔ＴＢ）／２の位置における開口部１３ａの配列方向と平行する直線、および半径ＲＡＸの円の中心から開口部１３ａの配列方向へ距離ＲＡＹの位置における開口部１３ａの配列方向に直交する直線からなる形状である。この開口部１３ａの半径ＲＡＸの円の中心は、マイクロレンズ１２の光軸ＡＸ１と一致するように配置されている。
【００２９】
なお、図１（ｂ）において、光軸ＡＸ１が伸びる方向は紙面の表裏方向である。また、開口部１３ａの配列方向の距離ＲＡＹは、光軸ＡＸ１から開口部１３ａの配列方向の開口部１３ａの内壁までの距離であり、また開口部１３ａの配列方向と直交する方向の半径ＲＡＸは、光軸ＡＸ１から開口部１３ａを形成する遮光部材１３の内壁までの距離である。
本実施例の遮光部材１３は、ポリカーボネートを用いて射出成型により作成した。
【００３０】
次にレンズアレイ１の詳細を図８の第１の実施例におけるレンズアレイの動作を示す説明図に基づいて説明する。図８はレンズ板１１を含むレンズアレイ１および物体面ＯＰならびに結像面ＩＰの断面図であり、隣接する２つのマイクロレンズ１２の光軸ＡＸ１を含む平面による断面図、すなわち図１における直線ＡＡの位置および図７における直線ＣＣの位置における断面図である。
【００３１】
図８において、レンズアレイ１の物体面ＯＰから距離ＬＯの位置に第１のマイクロレンズ１２ａが配置され、また第２のマイクロレンズ１２ｂが第１のマイクロレンズ１２ａと光軸が一致するように対向し、距離ＬＳを隔てて配置される。レンズアレイ１の結像面ＩＰは第２のマイクロレンズ１２ｂから光軸方向に距離ＬＩを隔てた位置である。
第１のマイクロレンズ１２ａは、厚みがＬＴ１であり、光軸ＡＸ１方向に距離ＬＯ１の位置にある物体３０ａの像を中間像３０ｂとして、光軸方向に距離ＬＩ１離れた中間像面ＩＭＰに形成する。
【００３２】
第２のマイクロレンズ１２ｂは、厚みがＬＴ２であり、距離ＬＯ２の位置にある中間像面ＩＭＰ上の中間像３０ｂの結像３０ｃを、光軸ＡＸ１方向に距離ＬＩ２隔てた位置に形成する。
レンズアレイ１の物体面ＯＰから第１のマイクロレンズ１２ａまでの距離ＬＯは距離ＬＯ１と等しく設定され、第１のマイクロレンズ１２ａと第２のマイクロレンズ１２ｂの間隔ＬＳは、（距離ＬＩ１＋距離ＬＯ２）に設定され、第２のマイクロレンズ１２ｂからレンズアレイ１の結像面ＩＰまでの距離ＬＩは距離ＬＩ２と等しく設定される。
【００３３】
また、第１のマイクロレンズ１２ａと第２のマイクロレンズ１２ｂを同じ構成のレンズとすることができる。このとき、第１のマイクロレンズ１２ａと第２のマイクロレンズ１２ｂは、ともに厚さがＬＴ１であり、レンズアレイ１の物体面から第１のマイクロレンズ１２ａまでの距離ＬＯは距離ＬＯ１と等しく設定される。
さらに、第１のマイクロレンズ１２ａの物体面側の曲面と同じ形状の面が第２のマイクロレンズ１２ｂの結像面側の曲面となるように対向して配置され、第２のマイクロレンズ１２ｂから中間像面ＩＭＰまでの距離ＬＯ２はＬＩ１と等しく設定される。
【００３４】
第１のマイクロレンズ１２ａと第２のマイクロレンズ１２ｂの間隔ＬＳは、（２×距離ＬＩ１）に設定され、第２のマイクロレンズ１２ｂからレンズアレイ１の結像面までの距離ＬＩは距離ＬＯ１と等しく設定され、距離ＬＩ＝距離ＬＯである。
このようにレンズアレイ１は、遮光部材１３を挟んで２個のレンズ板１１は表裏が逆となるように対向して結像面に結像できる間隔で保持されている。遮光部材１３を挟んで２個のマイクロレンズ１２が光軸を一致させて共役の位置に配置され、正立等倍像を結像する光学系が形成される。このように光軸が一致する２個のマイクロレンズ１２からなる光学系は、感光体ドラム４１の表面にＬＥＤ素子３０の正立等倍像を結像することができる。
【００３５】
また、遮光部材１３は、レンズ板１１の間にあって光軸が一致する２個のマイクロレンズからなる光学系に他の光学系から入る迷光（一部の光）を遮断するとともに他の光学系に迷光を出さないように遮断している。
上述した構成の作用について説明する。
まず、プリンタ１００の動作を図２に基づいて説明する。
【００３６】
プリンタ１００の感光体ドラム４１表面は、図示しない電源装置により電圧が印加された帯電ローラ４２により帯電される。続いて、感光体ドラム４１が回転することによって帯電された感光体ドラム４１表面がＬＥＤヘッド３の付近に到達するとＬＥＤヘッド３によって露光され、感光体ドラム４１表面に静電潜像が形成される。この静電潜像は現像器５により現像され、感光体ドラム４１の表面にトナー像が形成される。
【００３７】
一方、給紙カセット６０にセットされた用紙１０１が給紙ローラ６１によって給紙カセット６０から取り出され、搬送ローラ６２、６３により、転写ローラ８０および転写ベルト８１の付近に搬送される。
感光体ドラム４１が回転することにより、現像によって得られた感光体ドラム４１表面上のトナー像が転写ローラ８０および転写ベルト８１の付近に到達すると図示しない電源装置により電圧が印加されている転写ローラ８０および転写ベルト８１によって、感光体ドラム４１表面上のトナー像は用紙１０１上に転写される。
【００３８】
続いて、表面にトナー像が形成された用紙１０１は、転写ベルト８１の回転により定着器９へ搬送され、用紙１０１上のトナー像はその定着器９により加圧されながら加熱されることにより溶解し、用紙１０１上に固定される。トナー像が固定された用紙１０１は、搬送ローラ６４および排出ローラ６５により排出部７に排出されてプリンタ１００の動作が終了する。
【００３９】
次に、露光装置としてのＬＥＤヘッド３の動作を図４に基づいて説明する。
画像データをもとにプリンタ１００の制御部によりＬＥＤヘッド３の制御信号が発信されるとドライバＩＣ３１はその制御信号に基づき任意の光量でＬＥＤ素子３０を発光させる。そのＬＥＤ素子３０からの光線はレンズアレイ１に入射し、感光体ドラム４１上に結像が形成される。
【００４０】
次に、レンズアレイ１の動作を図８に基づいて説明する。
物体３０ａとしてのＬＥＤ素子３０の光線は第１のマイクロレンズ１２ａに入射し、その第１のマイクロレンズ１２ａによって光軸方向に距離ＬＩ１隔てた位置にある中間像面ＩＭＰ上に中間像３０ｂが形成される。さらに、第２のマイクロレンズ１２ｂによってその中間像３０ｂの像である結像３０ｃが結像面ＩＰ上に形成されることにより、物体３０ａの結像３０ｃが結像面ＩＰ上に形成される。
【００４１】
第１のマイクロレンズ１２ａによって形成される中間像３０ｂは物体３０ａの倒立縮小像であり、結像３０ｃはその中間像３０ｂの第２のマイクロレンズ１２ｂによる倒立拡大像である。
また、第１のマイクロレンズ１２ａと第２のマイクロレンズ１２ｂとの間では物体面上の各点からの光線の主光線が平行である、いわゆるテレセントリックになっている。
【００４２】
ここで、物体３０ａの大きさをＳＡ、中間像３０ｂの大きさをＳＢ、結像３０ｃの大きさをＳＣとすると、第１のマイクロレンズ１２ａの倍率Ｍ１および第２のマイクロレンズ１２ｂの倍率Ｍ２は、それぞれＭ１＝ＳＢ／ＳＡ、Ｍ２＝ＳＣ／ＳＢと表される。
レンズアレイ１は、正立等倍像を形成するのでレンズアレイ１の倍率ＭＡ＝ＳＣ／ＳＡ（ＭＡ＝Ｍ１×Ｍ２）は“１”でなければならず、倍率Ｍ１×Ｍ２＝１でなければならない。すなわち、マイクロレンズ１２ｂの倍率Ｍ２は、第１のマイクロレンズ１２ａの倍率Ｍ１の逆数と等しくなければならない。
【００４３】
なお、ＬＥＤ素子３０からの光線は第１のマイクロレンズ１２ａから射出された後、結像に寄与しない光線は遮光部材１３により遮光される。
一方、第１のマイクロレンズ１２ａと第２のマイクロレンズ１２ｂを同じ構成のレンズとした場合もレンズアレイ１は物体３０ａの正立等倍像を形成する。
物体３０ａとしてのＬＥＤ素子３０の光線は第１のマイクロレンズ１２ａに入射し、その第１のマイクロレンズ１２ａによって光軸方向に距離（ＬＳ／２）隔てた位置にある中間像面ＩＭＰ上に中間像３０ｂが形成される。さらに、第２のマイクロレンズ１２ｂによってその中間像３０ｂの像である結像３０ｃが結像面ＩＰ上に形成される。このとき、結像３０ｃは物体３０ａの正立等倍像になっている。
【００４４】
また、第１のマイクロレンズ１２ａと第２のマイクロレンズ１２ｂとの間ではテレセントリックになっている。
さらに、レンズアレイ１の動作を図９の第１の実施例におけるＲＡＹ／ＲＬＹの値とドット像およびゴーストの明るさを表す照度の関係を示すグラフに基づいて説明する。
図９に示すグラフの値は、マイクロレンズ１２の配列方向に平行する方向のマイクロレンズ１２の半径ＲＬＹ、すなわちマイクロレンズ１２のｙ方向の距離ＲＬＹ（図７参照）を同一とし、マイクロレンズ１２の配列方向に平行する方向の絞りの開口半径ＲＡＹ、すなわち遮光部材１３の開口部１３ａのｙ方向における距離ＲＡＹ（図１（ｂ）参照）を変えたレンズアレイ１を作成して得られたものである。
【００４５】
なお、マイクロレンズ１２の配列方向に直交する方向のマイクロレンズ１２の半径ＲＬＸ、すなわちマイクロレンズ１２のｘ方向の距離ＲＬＸと、マイクロレンズ１２の配列方向に直交する方向の絞りの開口半径ＲＡＸ、すなわち遮光部材１３の開口部１３ａのｘ方向における距離ＲＡＸとの関係は、（ＲＡＸ／ＲＬＸ）＝０．９とした。
図９に示すグラフにおいて、実線はゴーストの照度を示し、ゴーストの照度は連続した４８点のＬＥＤ素子３０を点灯し、ＬＥＤ素子３０を点灯させた位置からマイクロレンズ１２の配列方向へ３．６ｍｍ離れた結像面上の位置でのＬＥＤ素子３０のゴーストの照度を測定し、（ＲＡＹ／ＲＬＹ）＝０．９であるレンズアレイ１におけるゴーストの照度を示す値との比で示したものである。
【００４６】
図９に示すように、（ＲＡＹ／ＲＬＹ）＜０．９（＝ＲＡＸ／ＲＬＸ）の範囲でＲＡＹ／ＲＬＹの値が小さいレンズアレイ１ほど、ゴーストの照度は小さくなった。また、（ＲＡＹ／ＲＬＹ）＝＜０．７５のとき、ゴーストの照度が特に小さくなり、ＲＡＹ／ＲＬＹの値の変化に対するゴーストの照度の変化が小さく、照度の値が安定しているといえる。
一方、破線はドット像の照度を示し、ＬＥＤ素子３０を１点のみ点灯し、そのＬＥＤ素子３０の結像の照度を測定し、（ＲＡＹ／ＲＬＹ）＝０．９であるレンズアレイ１におけるドット像の照度を示す値との比で示したものである。
【００４７】
図９に示すように、ＲＡＹ／ＲＬＹの値が小さいレンズアレイ１ほど、ドット像の照度は小さいがゴーストの照度変化に比べるとその変化率は小さい。一方、（ＲＡＹ／ＲＬＹ）＜０．５とするとドット像の照度低下は著しくなるため、（ＲＡＹ／ＲＬＹ）＞＝０．５とすることが好ましい。
ここで、図９に示すゴーストおよびドット像の照度の測定に用いた測定器を図１６の第１の実施例における照度測定器の説明図に基づいて説明する。
【００４８】
図１６において、照度測定器は、受光素子２０１、スリット２０２、駆動装置２０３、および受光素子２０１で得られた信号から照度を算出する図示しない処理装置からなる。
略直線に配列されたＬＥＤ素子３０は、レンズアレイ１との間の距離ＬＯを保持して平行になるように配置され、レンズアレイ１のマイクロレンズ１２の光軸は図における上下方向になるように配置されている。
【００４９】
受光素子２０１は、スリット２０２を通過した光線を受光し、電気信号に変換する。受光素子２０１およびスリット２０２は、駆動装置２０３によりレンズアレイ１と平行に移動することができるようになっており、スリット２０２とレンズアレイ１は常に距離ＬＩを保持して移動されるようになっている。
ドット像の照度を測定する際には、レンズアレイ１を軸として発光させたＬＥＤ素子３０の線対称の位置にスリット２０２および受光素子２０１を移動する。また、ゴーストの照度を測定する際には、ゴーストが発生する位置へスリット２０２および受光素子２０１を移動する。
【００５０】
本実施例のレンズアレイ１を用いたＬＥＤヘッド３について、結像の解像度を示すＭＴＦ（Ｍｏｄｕｌａｔｉｏｎ  Ｔｒａｎｓｆｅｒ  Ｆｕｎｃｔｉｏｎ：振幅伝達関数）を測定した。
ここで、ＭＴＦとは、露光装置の解像度を示し、露光装置中で点灯しているＬＥＤ素子３０の結像のコントラストを示す。１００％が結像のコントラストが最も大きく、露光装置としての解像度が高いことを示し、小さいほど光量のコントラストは小さく、露光装置の解像度は低い。
【００５１】
ＭＴＦ（％）は、結像の光量の最大値をＥＭＡＸ、隣り合う２つの結像の間の光量の最小値をＥＭＩＮとしたとき、
ＭＴＦ＝（ＥＭＡＸ−ＥＭＩＮ）／（ＥＭＡＸ＋ＥＭＩＮ）×１００（％）
のように定義される。
このＭＴＦの測定においては、ＬＥＤヘッド３のレンズアレイ１の結像面ＩＰ上、第２のマイクロレンズ１２ｂの結像面側レンズの頂点から距離ＬＩ（ｍｍ）離れた位置の結像を顕微鏡デジタルカメラにより撮影し、撮影画像よりＬＥＤ素子３０の結像の光量分布を解析し、このＭＴＦを算出した。
【００５２】
また、ＭＴＦの測定においては、ＬＥＤ素子３０の配列間隔ＰＤ＝０．０４２３ｍｍであるＬＥＤヘッド３を用いた。
図１０は第１の実施例におけるＲＡＹ／ＲＬＹの値とＭＴＦの関係を示すグラフである。
図１０に示すグラフの値は、マイクロレンズ１２のｙ方向の距離ＲＬＹ（図７参照）を同一とし、遮光部材１３の開口部１３ａのｙ方向における距離ＲＡＹ（図１（ｂ）参照）を変えたレンズアレイ１を作成して得られたものである。なお、マイクロレンズ１２のｘ方向の距離ＲＬＸと遮光部材１３の開口部１３ａのｘ方向における距離ＲＡＸの関係は、（ＲＡＸ／ＲＬＸ）＝０．９とした。
【００５３】
図１０に示すように、（ＲＡＹ／ＲＬＹ）＜０．９（＝ＲＡＸ／ＲＬＸ）のとき、ＭＴＦはともに８０％以上であり、ＲＡＹ／ＲＬＹの値が小さいレンズアレイ１ほど、ＭＴＦは高い。また、ＭＴＦの値は、（ＲＡＹ／ＲＬＹ）＝＜０．７５（（ＲＡＹ／ＲＬＹ）の値が０．７５以下）のとき、特に大きく、ＲＡＹ／ＲＬＹの値の変化に対するＭＴＦの変化が小さく、ＭＴＦの値が安定しているといえる。
【００５４】
ここで、ＬＥＤ素子３０の配列方向である図１（ａ）のｙ方向については、ゴーストを防ぐために遮光部材１３の開口部１３ａのｙ方向におけるマイクロレンズ１２と開口部１３ａとの関係を考慮しなければならないが、ＬＥＤ素子３０の配列方向でない図１（ａ）のｘ方向については、ｙ方向よりもゴーストの発生が少ないため、開口部１３ａのｘ方向についてはドット像の照度比を考慮してｙ方向と比べて大きくする方が良い。
【００５５】
さらに、ＭＴＦの値と画像形成装置の画像品質について説明する。
本来、画像形成装置が形成する画像でトナーが乗らない部分は、静電潜像においては電位が十分に高くなければならない。また、ＬＥＤヘッドで形成される結像は暗くなければならない。ところが、ＭＴＦの値が小さいとＬＥＤヘッドで形成される結像において、暗くなければならない部分にも光線が入射してしまう。
【００５６】
光線が入射してしまうと静電潜像においては電位が十分に高くなければならないところの電位が下がってしまい、本来、画像形成装置の画像でトナーが乗らない部分にトナーが付着してしまう。
画像形成装置の画像でトナーが乗らない部分は、本来、用紙の色である白色によって画像が構成されるが、トナーが付着してしまった部分は、トナーの色が混ざって見えるため、画像形成装置の画像品質が低下する。
【００５７】
様々な評価を重ねた結果、ＭＴＦが８０％以上のとき、画像形成装置の画像は筋や濃淡斑のない良好な画像となった。
図９および図１０に基づいて説明したとおり、（遮光部材１３の開口部１３ａのｙ方向における距離ＲＡＹ）／（マイクロレンズ１２のｙ方向の距離ＲＬＹ）＜（遮光部材１３の開口部１３ａのｘ方向における距離ＲＡＸ）／（マイクロレンズ１２のｘ方向の距離ＲＬＸ）としたレンズアレイ１では、ゴーストの発生が抑えられ、ＭＴＦの値が８０％以上となり、画像形成装置で良好な画像を得ることができる。
【００５８】
また、ＲＡＹ／ＲＬＹの値を、０．５＝＜（ＲＡＹ／ＲＬＹ）＝＜０．７５に設定することで、ドット像の照度も十分高く、画像形成装置においては品質の高い画像を得ることができる。
続いて、レンズアレイ１の動作を図１１、図１２、および図１３に基づいて説明する。
図１１は、第１の実施例におけるＬＥＤヘッドの概略図であり、図４におけるｚ方向からＬＥＤ素子３０およびレンズアレイ１を見た図である。ＬＥＤ素子３０およびマイクロレンズ１２の配列方向は、図１１における上下方向であり、ＬＥＤ素子３０の１点を物体３０ａとする。
【００５９】
図１２は、第１の実施例におけるレンズアレイの断面図であり、図１１における直線ＤＤの位置の断面を示している。マイクロレンズ１２の配列方向は、図１２における左右方向であり、マイクロレンズ１２の光軸は、図１２における上下方向である。
なお、図１２では物体３０ａから発せられる光線のマイクロレンズ１２の配列方向の成分について説明するため、物体３０ａをマイクロレンズ１２の配列方向と直交する方向に図１１の直線ＤＤの位置へ移動した物体３０ａ´を定義するものとする。
【００６０】
図１２に示すように物体３０ａ´から発せられた光線ＲＡＹ１および光線ＲＡＹ２は、第１のマイクロレンズ１２１ａおよび第１のマイクロレンズ１２２ａに入射して中間像３０ｂ´を形成し、第２のマイクロレンズ１２１ｂおよび第１のマイクロレンズ１２２ｂにより結像面ＩＰ上に結像３０ｃ´を形成する。なお、光線ＲＡＹ１および光線ＲＡＹ２は、結像３０ｃ´を形成する光線のうち主光線を示し、その主光線ＲＡＹ１および主光線ＲＡＹ２は、開口部１３ａ内部では第１のマイクロレンズ１２１ａの光軸に平行である、いわゆるテレセントリックとなっている。
【００６１】
一方、物体３０ａ´から発せられた光線ＲＡＹ３は、第１のマイクロレンズ１２２ａに入射するが、第２のマイクロレンズ１２２ｂの結像面側のレンズ面から出射せず、隣接する第２のマイクロレンズ１２３ｂの結像面側のレンズ面から出射する。したがって、光線ＲＡＹ３は開口部１３ａ内部では第１のマイクロレンズ１２ａの光軸と平行にならない。
さらに、光線ＲＡＹ３は、第２のマイクロレンズ１２３ｂに入射するが、第２のマイクロレンズ１２３ｂの結像面側のレンズ面から出射せず、隣接する第２のマイクロレンズ１２４ｂの結像面側のレンズ面から出射し、結像面ＩＰ上に結像され、ゴースト３０ｇ´を形成する。
【００６２】
このように第１のマイクロレンズ１２３ａの光軸ＡＸ３から大きくずれた位置にある物体３０ａ´からの光線は、入射した第１のマイクロレンズ１２２ａから漏れ、隣接する第１のマイクロレンズ１２３ａに入射することで、本来の光線の経路から外れ、遮光部材１３により遮光されることなく、物体の結像とは異なる像である、いわゆるゴーストを形成する。
【００６３】
レンズアレイ１は正立等倍像を形成するレンズであるから物体３０ａ´の結像はレンズアレイ１を対称軸とした線対称の位置３０ｃ´に形成しなければならないが、ゴースト３０ｇ´の位置はマイクロレンズ１２の配列方向に位置３０ｃ´から大きくずれた位置となっている。
図１３は第１の実施例におけるレンズアレイの断面図であり、図１１における直線ＥＥの位置での断面図である。マイクロレンズ１２の光軸は、図１３における上下方向である。
【００６４】
図１３に示すように物体３０ａから発せられた光線ＲＡＹ１は、第１のマイクロレンズ１２ａに入射して中間像３０ｂを形成し、第２のマイクロレンズ１２ｂにより結像面ＩＰ上に結像３０ｃを形成する。なお、光線ＲＡＹ１は、結像３０ｃを形成する光線のうち主光線を示している。
このようにマイクロレンズ１２の配列方向と直交する方向には、マイクロレンズ１２の光軸ＡＸ１から大きくずれた位置にはＬＥＤ素子３０（物体３０ａ）が存在せず、ゴーストは形成されない。
【００６５】
図１２に示したように、物体３０ａ´の結像に寄与する光線の主光線ＲＡＹ１および主光線ＲＡＹ２が、開口部１３ａ内部においてマイクロレンズ１２の光軸と平行であるのに対し、ゴースト３０ｇ´の形成に寄与する光線ＲＡＹ３は開口部１３ａ内部において斜めに通過している。このため、開口部１３ａのマイクロレンズ１２の配列方向の半径としての距離ＲＡＹを小さくすることにより、光線ＲＡＹ３は遮光され、ゴースト３０ｇ´の照度は低下する。
【００６６】
開口部１３ａの開口半径を小さくすると結像の照度も低下するが、本実施例のようにゴーストに相関がないマイクロレンズ１２の配列方向と直交する方向の半径ＲＡＸに対してマイクロレンズ１２の配列方向の半径ＲＡＹを小さくすることにより、結像の照度の低下を最小限に抑えながらゴーストの照度を低下させることができ、レンズアレイ１の解像度を向上させることができる。
【００６７】
ここで、本実施例によるレンズアレイ１のレンズ板１１の寸法を説明する。
レンズアレイ１における第１のレンズ列１４ａおよび第２のレンズ列１４ｂの各列で並ぶそれぞれのマイクロレンズ１２の間隔ＰＹ（図７参照）、第１のレンズ列１４ａと第２のレンズ列１４ｂとの間隔ＰＸ（図７参照）、レンズ板１１のマイクロレンズ１２配列方向の長さＱＹ（図１４参照）、レンズ板１１のマイクロレンズ１２配列方向に直交する方向の長さＱＸ（図１４参照）、およびマイクロレンズ１２の半径ＲＬは、表１の部品寸法に示すとおりであり、またレンズアレイ1のレンズ板１１を成型する金型のそれぞれの寸法は表１の金型寸法に示すとおりである。
【００６８】
【表１】
2010181686.tif 000004
なお、レンズアレイ１のレンズ板１１の長手方向収縮率は、３３３ｍｍ／３３４．６６５ｍｍ×１００％＝９９．５０２５％、幅方向収縮率は、５．８０２ｍｍ／５．８２９ｍｍ×１００％＝９９．５３６８％である。
【００６９】
また、物体側のレンズ板１１のマイクロレンズ１２の物体側の面に対応する金型上の面において、長手方向（図１および図１４におけるｙ方向）の断面形状は、マイクロレンズ１２のレンズ面の頂点に対応する金型上の点からの距離をＹ、表２に示した長手方向における曲率半径ＣＹ、長手方向における４次の非球面係数ＡＹ、長手方向における６次の非球面係数ＢＹを用いて数式２で表され、幅方向（図１および図１４におけるｘ方向）の断面形状は、マイクロレンズ１２のレンズ面の頂点に対応する金型上の点からの距離をＸ、表２に示した幅方向における曲率半径ＣＸ、幅方向における４次の非球面係数ＡＸ、幅方向における６次の非球面係数ＢＸを用いて数式３で表される。
【００７０】
【数２】
2010181686.tif 000005
【００７１】
【数３】
2010181686.tif 000006
【００７２】
【表２】
2010181686.tif 000007
また、物体側のレンズ板１１のマイクロレンズ１２の結像面側の面に対応する金型上の面において、長手方向（図１および図１４におけるｙ方向）の断面形状は、マイクロレンズ１２のレンズ面の頂点に対応する金型上の点からの距離をＹ、表３に示した長手方向における曲率半径ＣＹ、長手方向における４次の非球面係数ＡＹ、長手方向における６次の非球面係数ＢＹを用いて数式２で表され、幅方向（図１および図１４におけるｘ方向）の断面形状は、マイクロレンズ１２のレンズ面の頂点に対応する金型上の点からの距離をＸ、表３に示した幅方向における曲率半径ＣＸ、幅方向における４次の非球面係数ＡＸ、幅方向における６次の非球面係数ＢＸを用いて数式３で表される。
【００７３】
【表３】
2010181686.tif 000008
次に、カラーＬＥＤプリンタを用いて本実施例のレンズアレイを実装した画像形成装置の画像を評価したところ、筋や濃淡斑のない良好な画像が得られた。画像形成装置の画像の評価は、印刷領域全面に図１５に示した全画素のうち１つおきにドットを形成する画像を形成し、画像品質の良否を評価した。図１５において、３０１はトナーが乗っているドット、３０２はトナーが乗っていないドットを示している。
【００７４】
なお、本実施例では、マイクロレンズ１２は回転対称高次非球面で構成したが、これに限られることなく、球面を形成するようにしてもよい。また、アナモフィック非球面、放物面、楕円面、双曲面、コーニック面等の曲面を形成してもよい。
また、レンズ板１１は一般射出成型により作成したが、圧縮射出成型等の成型法でもよい。さらに、レンズ板１１の素材は樹脂を用いているがガラスを用いてもよい。
【００７５】
また、遮光部材１３はポリカーボネートを用いて射出成型により作成したが、これに限られることなく、切削加工により作成してもよく、また金属をエッチングするなどして作成してもよい。
また、発光部としてＬＥＤ素子３０を複数配置したＬＥＤアレイを用いたが、例えば有機ＥＬを発光部にしてもよく、半導体レーザーを用いてもよく、さらには蛍光灯やハロゲンランプ等の発光部に液晶素子で構成されたシャッタを併用した露光装置でもよい。
【００７６】
以上説明したように、第１の実施例では、（遮光部材の開口部のｙ方向における距離ＲＡＹ）／（マイクロレンズのｙ方向の距離ＲＬＹ）＜（遮光部材の開口部のｘ方向における距離ＲＡＸ）／（マイクロレンズのｘ方向の距離ＲＬＸ）、またＲＡＹ／ＲＬＹの値を、０．５＝＜（ＲＡＹ／ＲＬＹ）＝＜０．７５となるようにレンズアレイを構成することにより、レンズから光線が漏れて別のレンズへ入射することを防ぐことができ、物体の結像の劣化を抑制し、解像度を十分高くすることができるという効果が得られる。
【００７７】
そして、このレンズアレイを用いた露光装置では結像のコントラストが得られ、画像形成装置では鮮明な画像を得ることができるという効果が得られる。
【実施例２】
【００７８】
第１の実施例では、本発明によるレンズアレイを画像形成装置としてのプリンタに適用したものとして説明したが、第２の実施例では読取装置に適用した例を説明する。
第２の実施例の構成を図１７の第２の実施例における読取装置の構成を示す概略図に基づいて説明する。なお、上述した第１の実施例と同様の部分は、同一の符号を付してその説明を省略する。
【００７９】
図１７において、５００は、原稿を読取って画像データとしての電子データを生成する読取装置としてのスキャナである。
スキャナ５００は、読取ヘッド４００、ランプ５０１、原稿台５０２、レール５０３、駆動ベルト５０５、モータ５０６等で構成されている。
読取ヘッド４００は、照明装置としてのランプ５０１により照射され、原稿の表面で反射した光線を取り込み電子データに変換するものである。ランプ５０１は、照射した光が原稿の表面で反射し、読取ヘッド４００内に取り込まれるように配置されている。
【００８０】
原稿台５０２は、電子データが生成される原稿５０７を載置するものであり、可視光線を透過する素材で形成されている。
レール５０３は、原稿台５０２の下方に配置され、読取ヘッド４００を移動可能にするものであり、読取ヘッド４００は、その一部が複数の滑車５０４により張架された駆動ベルト５０５に接続され、モータ５０６で駆動された駆動ベルト５０５によりレール５０３上を移動可能に構成されている。
【００８１】
次に、読取ヘッド４００の構成を図１８の第２の実施例における読取装置の読取りヘッドの構成を示す概略図に基づいて説明する。
図１８において、読取ヘッド４００は、レンズアレイ１、ラインセンサ４０１およびミラー４０２で構成されている。
ミラー４０２は、原稿５０７で反射された光線の光路を折り曲げてその光線をレンズアレイ１に入射させるものである。
【００８２】
ラインセンサ４０１は、複数の受光素子が間隔ＰＲで直線に配置されており、レンズアレイ１により形成された原稿画像の結像を電気信号に変換するものである。
また、図１９は本実施例の読取ヘッド４００の構成および物体面ＯＰ（原稿５０７）と結像面ＩＰとの位置関係を示している。なお、本実施例のレンズアレイ１の構成は第１の実施例と同様である。
【００８３】
なお、本実施例では、ラインセンサ４０１は６００ｄｐｉの解像度であり、受光素子が１インチ当たり６００個配置されている。すなわち、受光素子の間隔ＰＲは０．０４２３ｍｍである。
上述した構成の作用について説明する。
まず、読取装置の動作を図１７に基づいて説明する。
【００８４】
ランプ５０１が点灯し、原稿５０７の表面を照射することにより、原稿５０７の表面で反射した光線が読取ヘッド４００内に取り込まれる。モータ５０６により、駆動ベルト５０５が駆動して読取ヘッド４００とランプ５０１が図１７における左右方向に移動し、読取ヘッド４００は原稿５０７の全面から反射した光線を取り込む。
次に、読取ヘッド４００の動作を図１８に基づいて説明する。
【００８５】
原稿５０７で反射された光線は、原稿台５０２を透過し、ミラー４０２で光路が折り曲げられ、レンズアレイ１に入射する。レンズアレイ１により結像された原稿画像の結像はラインセンサ４０１上に形成され、ラインセンサ４０１は形成された原稿画像の結像を電気信号に変換して電子データを生成する。
本実施例による読取装置を用いて原稿から画像データを形成したところ、原稿と同一の良好な画像データが得られた。なお、本実施例の読取装置を用いて読取った原稿は、図１５で示すようにドットの間隔ＰＤ＝０．０４２３ｍｍ、解像度６００ｄｐｉとしたものである。つまり、間隔ＰＤ＝０．０４２３ｍｍ、解像度６００ｄｐｉの全ドットのうち、１つおきにドットを形成した画像を媒体上の印字領域全面に形成した原稿を用いた。
【００８６】
なお、本実施例においては、原稿画像を電子データに変換する読取装置としてスキャナを例に説明したが、光学的信号を電気信号に変換するセンサやスイッチ、およびそれらを用いた入出力装置、生体認証装置、通信装置、寸法測定器等であってもよい。
以上説明したように、第２の実施例では、読取装置においても第１の実施例と同様の効果が得られ、原稿と同一の画像データを読取ることができるという効果が得られる。
【符号の説明】
【００８７】
１    レンズアレイ
３    ＬＥＤヘッド
５    現像器
７    排出部
９    定着器
１１  レンズ板
１２  マイクロレンズ
１３  遮光部材
１３ａ  開口部
３０  ＬＥＤ素子
３１  ドライバＩＣ
３２  ワイヤ
３３  配線基板
３４  ホルダ
４１  感光体ドラム
４２  帯電ローラ
４３  クリーニングブレード
５１  トナーカートリッジ
６０  給紙カセット
６１  給紙ローラ
６２、６３、６４  搬送ローラ
６５  排出ローラ
８０  転写ローラ
８１  転写ベルト
【図１】
2010181686.tif 000009
【図２】
2010181686.tif 000010
【図３】
2010181686.tif 000011
【図４】
2010181686.tif 000012
【図５】
2010181686.tif 000013
【図６】
2010181686.tif 000014
【図７】
2010181686.tif 000015
【図８】
2010181686.tif 000016
【図９】
2010181686.tif 000017
【図１０】
2010181686.tif 000018
【図１１】
2010181686.tif 000019
【図１２】
2010181686.tif 000020
【図１３】
2010181686.tif 000021
【図１４】
2010181686.tif 000022
【図１５】
2010181686.tif 000023
【図１６】
2010181686.tif 000024
【図１７】
2010181686.tif 000025
【図１８】
2010181686.tif 000026
【図１９】
2010181686.tif 000027